【手続補正書】
【提出日】平成16年9月10日(2004.9.10)
【手続補正１】
【補正対象書類名】明細書
【補正対象項目名】特許請求の範囲
【補正方法】変更
【補正の内容】
【特許請求の範囲】
【請求項１】
少なくとも電流出力型位相比較器と、低域通過フィルタと、ＶＣＯとを含むＰＬＬ回路であって、
前記ＰＬＬ回路の収束周波数が設定周波数よりも低い場合には、前記収束周波数に対応する収束電位よりも低い入力電位から前記収束電位までＰＬＬフィードバックループにより収束させ、
前記収束周波数が前記設定周波数よりも高い場合には、収束電位よりも高い入力電位から前記収束電位まで前記ＰＬＬフィードバックループにより収束させることを特徴とするＰＬＬ回路。
【請求項２】
少なくとも電流出力型位相比較器と、低域通過フィルタと、ＶＣＯとを含むＰＬＬ回路であって、
前記ＰＬＬ回路の収束周波数が設定周波数よりも高い場合には、前記収束周波数に対応する収束電位よりも高い入力電位から前記収束電位までＰＬＬフィードバックループにより収束させ、
前記収束周波数が前記設定周波数よりも低い場合には、収束電位よりも低い入力電位から前記収束電位まで前記ＰＬＬフィードバックループにより収束させることを特徴とするＰＬＬ回路。
【請求項３】
第１の周波数変調された入力信号と第２の入力信号の位相差に比例した信号を出力する電流出力型位相比較器と、前記電流出力型位相比較器の出力端に接続された低域通過フィルタと、前記低域通過フィルタの出力端に接続されたＶＣＯと、前記ＶＣＯの出力端に接続され前記ＶＣＯの出力周波数を周波数変換し第２の信号を出力するミキサと、前記電流出力型位相比較器の出力端に接続された第１、第２、第３の定電流源と、前記電流出力型位相比較器と基準電位との間に接続されたスイッチとを有し、前記第１、第２、第３の定電流源のオンオフと前記スイッチの短絡、開放の制御手段を有することを特徴とするＰＬＬ回路。
【請求項４】
請求項３記載のＰＬＬ回路において、前記基準電位は０Ｖであり、前記第１と第３の定電流源は前記電流出力型位相比較器の出力端に定電流を出力し、前記第２の定電流源は前記電流出力型位相比較器の出力端から定電流を吸収することを特徴とするＰＬＬ回路。
【請求項５】
請求項３記載のＰＬＬ回路において、前記基準電位は電源電位であり、前記第１と第３の定電流源は前記電流出力型位相比較器の出力端から定電流を吸収し、前記第２の定電流源は前記電流出力型位相比較器の出力端に定電流を出力することを特徴とするＰＬＬ回路。
【請求項６】
請求項４記載のＰＬＬ回路において、非動作状態では、前記第１、第２、第３の定電流源がオフで前記スイッチは短絡されており、前記非動作状態から動作状態への移行には第１と第２の手段が存在し、前記ＰＬＬ回路の収束周波数が、前記スイッチの短絡時の前記ＶＣＯの出力周波数と設定周波数との間の周波数であるという条件を満たす場合には前記第１の手段が用いられ、前記条件を満たさない場合には前記第２の手段が用いられるＰＬＬ回路であって、前記第１の手段においては、前記スイッチの開放と前記第１の定電流源のオンが行われ、前記第２の手段においては、まず前記スイッチの開放と前記第３の定電流源のオンが行われ、その一定期間の後、前記第３の定電流源のオフと前記第２の定電流源のオンが行われることを特徴とするＰＬＬ回路。
【請求項７】
請求項５記載のＰＬＬ回路において、非動作状態では、前記第１、第２、第３の定電流源がオフで前記スイッチは短絡されており、前記非動作状態から動作状態への移行には第１と第２の手段が存在し、前記ＰＬＬ回路の収束周波数が、前記スイッチの短絡時の前記ＶＣＯの出力周波数と設定周波数との間の周波数であるという条件を満たす場合には前記第１の手段が用いられ、前記条件を満たさない場合には前記第２の手段が用いられるＰＬＬ回路であって、前記第１の手段においては、前記スイッチの開放と前記第１の定電流源のオンが行われ、前記第２の手段においては、まず前記スイッチの開放と前記第３の定電流源のオンが行われ、その一定期間の後、前記第３の定電流源のオフと前記第２の定電流源のオンが行われることを特徴とするＰＬＬ回路。
【請求項８】
請求項６記載のＰＬＬ回路において、前記第１、第２の定電流源の出力電流値は等しく、前記第３の定電流源の出力電流値は前記第１、第２の定電流源の出力電流値の少なくとも２倍以上であることを特徴とするＰＬＬ回路。
【請求項９】
請求項７記載のＰＬＬ回路において、前記第１、第２の定電流源の出力電流値は等しく、前記第３の定電流源の出力電流値は前記第１、第２の定電流源の出力電流値の少なくとも２倍以上であることを特徴とするＰＬＬ回路。
【請求項１０】
第１の周波数変調された入力信号と第２の入力信号の位相差に比例した信号を出力する電流出力型位相比較器と、前記電流出力型位相比較器の出力端に接続された低域通過フィルタと、前記低域通過フィルタの出力端に接続されたＶＣＯと、前記ＶＣＯの出力端に接続され前記ＶＣＯの出力周波数を周波数変換し第２の信号を出力するミキサと、前記電流出力型位相比較器の出力端に接続された第１、第２の定電流源と、前記電流出力型位相比較器と第１の基準電位との間に接続された第１のスイッチと、前記電流出力型位相比較器の出力端と第２の基準電位との間に接続された第２のスイッチとを有し、前記第１、第２の定電流源のオンオフと前記第１と第２のスイッチの短絡、開放を制御する手段を有することを特徴とするＰＬＬ回路。
【請求項１１】
請求項１０記載のＰＬＬ回路において、前記第１の基準電位は０Ｖであり、前記第２の基準電位は電源電位であり、前記第１の定電流源は前記電流出力型位相比較器の出力端に定電流を出力し、前記第２の定電流源は前記電流出力型位相比較器の出力端から定電流を吸収することを特徴とするＰＬＬ回路。
【請求項１２】
請求項１０記載のＰＬＬ回路において、前記第１の基準電位は電源電圧であり、前記第２の基準電位は０Ｖであり、前記第１の定電流源は前記電流出力型位相比較器の出力端から定電流を吸収し、前記第２の定電流源は前記電流出力型位相比較器の出力端に定電流を出力することを特徴とするＰＬＬ回路。
【請求項１３】
請求項１１記載のＰＬＬ回路において、非動作状態では、前記第１、第２の定電流源がオフで前記第１のスイッチは短絡され、前記第２のスイッチは開放されており、前記非動作状態から動作状態への移行には第１と第２の手段が存在し、前記ＰＬＬ回路の収束周波数が、前記第１のスイッチの短絡時の前記ＶＣＯの出力周波数と設定周波数との間の周波数であるという条件を満たす場合には前記第１の手段が用いられ、前記条件を満たさない場合には前記第２の手段が用いられるＰＬＬ回路であって、前記第１の手段においては、前記第１のスイッチの開放と前記第１の定電流源のオンが行われ、前記第２の手段においては、まず前記第１のスイッチの開放と前記第２のスイッチの短絡が行われ、その一定期間の後、前記第２のスイッチの開放と前記第２の定電流源のオンが行われることを特徴とするＰＬＬ回路。
【請求項１４】
請求項１２記載のＰＬＬ回路において、非動作状態では、前記第１、第２の定電流源がオフで前記第１のスイッチは短絡され、前記第２のスイッチは開放されており、前記非動作状態から動作状態への移行には第１と第２の手段が存在し、前記ＰＬＬ回路の収束周波数が、前記第１のスイッチの短絡時の前記ＶＣＯの出力周波数と設定周波数との間の周波数であるという条件を満たす場合には前記第１の手段が用いられ、前記条件を満たさない場合には前記第２の手段が用いられるＰＬＬ回路であって、前記第１の手段においては、前記第１のスイッチの開放と前記第１の定電流源のオンが行われ、前記第２の手段においては、まず前記第１のスイッチの開放と前記第２のスイッチの短絡が行われ、その一定期間の後、前記第２のスイッチの開放と前記第２の定電流源のオンが行われることを特徴とするＰＬＬ回路。
【請求項１５】
請求項１３記載のＰＬＬ回路において、前記第１、第２の定電流源の出力電流値が等しいことを特徴とするＰＬＬ回路。
【請求項１６】
請求項１４記載のＰＬＬ回路において、前記第１、第２の定電流源の出力電流値が等しいことを特徴とするＰＬＬ回路。
【請求項１７】
第１の周波数変調された入力信号と第２の入力信号の位相差に比例した信号を出力する電流出力型位相比較器と、前記電流出力型位相比較器の出力端に接続された低域通過フィルタと、前記低域通過フィルタの出力端に接続されたＶＣＯと、前記ＶＣＯの出力端に接続され前記ＶＣＯの出力周波数を周波数変換し第２の信号を出力するミキサと、前記電流出力型位相比較器の出力端に接続された可変電流源と定電流源と、前記電流出力型位相比較器と基準電位との間に接続されたスイッチとを有し、前記可変電流源のオンオフ及び出力電流値と前記定電流源のオンオフと前記スイッチの短絡、開放を制御する手段を有することを特徴とするＰＬＬ回路。
【請求項１８】
請求項１７記載のＰＬＬ回路において、前記基準電位は０Ｖであり、前記可変電流源は前記電流出力型位相比較器の出力端に電流を出力し、前記定電流源は前記電流出力型位相比較器の出力端から定電流を吸収することを特徴とするＰＬＬ回路。
【請求項１９】
請求項１７記載のＰＬＬ回路において、前記基準電位は電源電位であり、前記可変電流源は前記電流出力型位相比較器の出力端から電流を吸収し、前記定電流源は前記電流出力型位相比較器の出力端に定電流を出力することを特徴とするＰＬＬ回路。
【請求項２０】
請求項１８記載のＰＬＬ回路において、非動作状態では、前記可変電流源と前記定電流源がオフで前記スイッチは短絡されており、前記非動作状態から動作状態への移行には第１と第２の手段が存在し、前記ＰＬＬ回路の収束周波数が、前記第１のスイッチの短絡時の前記ＶＣＯの出力周波数と設定周波数との間の周波数であるという条件を満たす場合には前記第１の手段が用いられ、前記条件を満たさない場合には前記第２の手段が用いられるＰＬＬ回路であって、前記第１の手段においては、前記スイッチの開放と前記可変電流源のオンが行われ、前記可変電流源は第１の定電流値を出力し、前記第２の手段においては、まず前記スイッチの開放と前記可変電流源のオンが行われ、前記可変電流源は第２の定電流値を出力し、その一定期間の後、前記可変電流源のオフと前記定電流源のオンが行われることを特徴とするＰＬＬ回路。
【請求項２１】
請求項１９記載のＰＬＬ回路において、非動作状態では、前記可変電流源と前記定電流源がオフで前記スイッチは短絡されており、前記非動作状態から動作状態への移行には第１と第２の手段が存在し、前記ＰＬＬ回路の収束周波数が、前記第１のスイッチの短絡時の前記ＶＣＯの出力周波数と設定周波数との間の周波数であるという条件を満たす場合には前記第１の手段が用いられ、前記条件を満たさない場合には前記第２の手段が用いられるＰＬＬ回路であって、前記第１の手段においては、前記スイッチの開放と前記可変電流源のオンが行われ、前記可変電流源は第１の定電流値を出力し、前記第２の手段においては、まず前記スイッチの開放と前記可変電流源のオンが行われ、前記可変電流源は第２の定電流値を出力し、その一定期間の後、前記可変電流源のオフと前記定電流源のオンが行われることを特徴とするＰＬＬ回路。
【請求項２２】
請求項２０記載のＰＬＬ回路において、前記第１の定電流値と前記定電流の出力電流値は等しく、前記第２の定電流値は前記第１の定電流値と前記定電流の出力電流値の少なくとも２倍以上であることを特徴とするＰＬＬ回路。
【請求項２３】
請求項２１記載のＰＬＬ回路において、前記第１の定電流値と前記定電流の出力電流値は等しく、前記第２の定電流値は前記第１の定電流値と前記定電流の出力電流値の少なくとも２倍以上であることを特徴とするＰＬＬ回路。
【請求項２４】
ベースバンド回路と、前記ベースバンド回路から第１のベースバンド信号が入力される変調器と、前記変調器の出力に接続されたＰＬＬ回路と、前記ＰＬＬ回路の出力に接続された電力増幅器と、前記ベースバンド回路に第２のベースバンド信号を出力する受信回路と、アンテナと、前記アンテナと前記受信回路の入力と前記電力増幅器の出力とが接続されるセレクタとを有する無線通信端末機器であって、
前記ベースバンド回路は前記無線通信端末機器の動作の制御信号を出力し、
前記ＰＬＬ回路が、第１の周波数変調された入力信号と第２の入力信号の位相差に比例した信号を出力する電流出力型位相比較器と、前記電流出力型位相比較器の出力端に接続された低域通過フィルタと、前記低域通過フィルタの出力端に接続されたＶＣＯと、前記ＶＣＯの出力端に接続され前記ＶＣＯの出力周波数を周波数変換し第２の信号を出力するミキサと、前記電流出力型位相比較器の出力端に接続された第１、第２の定電流源と、前記電流出力型位相比較器と第１の基準電位との間に接続された第１のスイッチと、前記電流出力型位相比較器の出力端と第２の基準電位との間に接続された第２のスイッチとを有し、前記第１、第２の定電流源のオンオフと前記第１と第２のスイッチの短絡、開放を制御する手段を有するＰＬＬ回路からなることを特徴とする無線通信端末機器。
【請求項２５】
ベースバンド回路と、前記ベースバンド回路から第１のベースバンド信号が入力される変調器と、前記変調器の出力に接続されたＰＬＬ回路と、前記ＰＬＬ回路の出力に接続された電力増幅器と、前記ベースバンド回路に第２のベースバンド信号を出力する受信回路と、アンテナと、前記アンテナと前記受信回路の入力と前記電力増幅器の出力とが接続されるセレクタとを有する無線通信端末機器であって、
前記ベースバンド回路は前記無線通信端末機器の動作の制御信号を出力し、
前記ＰＬＬ回路が、少なくとも電流出力型位相比較器と、低域通過フィルタと、ＶＣＯとを含むＰＬＬ回路であって、
前記ＰＬＬ回路の収束周波数が設定周波数よりも低い場合には、前記収束周波数に対応する収束電位よりも低い入力電位から前記収束電位までＰＬＬフィードバックループにより収束させ、
前記収束周波数が前記設定周波数よりも高い場合には、収束電位よりも高い入力電位から前記収束電位まで前記ＰＬＬフィードバックループにより収束させることを特徴とするＰＬＬ回路からなることを特徴とする無線通信端末機器。
【請求項２６】
第１の周波数変調された入力信号と第２の入力信号の位相差に比例した信号を出力する電流出力型位相比較器と、前記電流出力型位相比較器の出力端に接続された低域通過フィルタと、前記低域通過フィルタの出力端に接続されたＶＣＯと、前記ＶＣＯの出力端に接続され前記ＶＣＯの出力周波数を周波数変換し前記電流出力型位相比較器の第２の入力信号を出力するミキサと、前記電流出力型位相比較器の出力端に接続された第１、第２の定電流源と、前記電流出力型位相比較器と第１の基準電位との間に接続された第１のスイッチと、前記電流出力型位相比較器の出力端と第２の基準電位との間に接続された第２のスイッチとを有し、前記第１、第２の定電流源のオンオフと前記第１と第２のスイッチの短絡、開放を制御するコントローラを有することを特徴とするＰＬＬ回路。
【請求項２７】
請求項２６記載のＰＬＬ回路において、前記第１の基準電位は０Ｖであり、前記第２の基準電位は電源電位であり、前記第１の定電流源は前記電流出力型位相比較器の出力端に定電流を出力し、前記第２の定電流源は前記電流出力型位相比較器の出力端から定電流を吸収することを特徴とするＰＬＬ回路。
【請求項２８】
請求項２７記載のＰＬＬ回路において、非動作状態では、前記第１、第２の定電流源がオフで前記第１のスイッチは短絡され、前記第２のスイッチは開放されており、前記非動作状態から動作状態への移行には第１と第２の手段が存在し、前記ＰＬＬ回路の収束周波数が、前記第１のスイッチの短絡時の前記ＶＣＯの出力周波数と設定周波数との間の周波数であるという条件を満たす場合には前記第１の手段が用いられ、前記条件を満たさない場合には前記第２の手段が用いられるＰＬＬ回路であって、前記第１の手段においては、前記第１のスイッチの開放と前記第１の定電流源のオンが行われ、前記第２の手段においては、まず前記第１のスイッチの開放と前記第２のスイッチの短絡が行われ、その一定期間の後、前記第２のスイッチの開放と前記第２の定電流源のオンが行われることを特徴とするＰＬＬ回路。
【請求項２９】
請求項２８記載のＰＬＬ回路において、前記第１、第２の定電流源の出力電流値が等しいことを特徴とするＰＬＬ回路。
【請求項３０】
請求項２６記載のＰＬＬ回路において、前記第１の基準電位は電源電圧であり、前記第２の基準電位は０Ｖであり、前記第１の定電流源は前記電流出力型位相比較器の出力端から定電流を吸収し、前記第２の定電流源は前記電流出力型位相比較器の出力端に定電流を出力することを特徴とするＰＬＬ回路。
【請求項３１】
請求項３０記載のＰＬＬ回路において、非動作状態では、前記第１、第２の定電流源がオフで前記第１のスイッチは短絡され、前記第２のスイッチは開放されており、前記非動作状態から動作状態への移行には第１と第２の手段が存在し、前記ＰＬＬ回路の収束周波数が、前記第１のスイッチの短絡時の前記ＶＣＯの出力周波数と設定周波数との間の周波数であるという条件を満たす場合には前記第１の手段が用いられ、前記条件を満たさない場合には前記第２の手段が用いられるＰＬＬ回路であって、前記第１の手段においては、前記第１のスイッチの開放と前記第１の定電流源のオンが行われ、前記第２の手段においては、まず前記第１のスイッチの開放と前記第２のスイッチの短絡が行われ、その一定期間の後、前記第２のスイッチの開放と前記第２の定電流源のオンが行われることを特徴とするＰＬＬ回路。
【請求項３２】
請求項２９記載のＰＬＬ回路において、前記第１、第２の定電流源の出力電流値が等しいことを特徴とするＰＬＬ回路。
【請求項３３】
請求項２６記載のＰＬＬ回路において、前記第１のスイッチは、前記ＶＣＯの入力電位に依存しない信号によって制御され、前記第２のスイッチは、前記ＶＣＯの入力電位に依存しない信号によって制御されることを特徴とするＰＬＬ回路。
【請求項３４】
第１の周波数変調された入力信号と第２の入力信号の位相差に比例した信号を出力する電流出力型位相比較器と、前記電流出力型位相比較器の出力端に接続された低域通過フィルタと、前記低域通過フィルタの出力端に接続されたＶＣＯと、前記ＶＣＯの出力端に接続され前記ＶＣＯの出力周波数を周波数変換し前記電流出力型位相比較器の第２の入力信号を出力するミキサと、前記電流出力型位相比較器の出力端に接続された可変電流源と定電流源と、前記電流出力型位相比較器と基準電位との間に接続されたスイッチとを有し、前記可変電流源のオンオフ及び出力電流値と前記定電流源のオンオフと前記スイッチの短絡、開放を制御するコントローラを有することを特徴とするＰＬＬ回路。
【請求項３５】
請求項３４記載のＰＬＬ回路において、前記基準電位は０Ｖであり、前記可変電流源は前記電流出力型位相比較器の出力端に電流を出力し、前記定電流源は前記電流出力型位相比較器の出力端から定電流を吸収することを特徴とするＰＬＬ回路。
【請求項３６】
請求項３５記載のＰＬＬ回路において、非動作状態では、前記可変電流源と前記定電流源がオフで前記スイッチは短絡されており、前記非動作状態から動作状態への移行には第１と第２の手段が存在し、前記ＰＬＬ回路の収束周波数が、前記第１のスイッチの短絡時の前記ＶＣＯの出力周波数と設定周波数との間の周波数であるという条件を満たす場合には前記第１の手段が用いられ、前記条件を満たさない場合には前記第２の手段が用いられるＰＬＬ回路であって、前記第１の手段においては、前記スイッチの開放と前記可変電流源のオンが行われ、前記可変電流源は第１の定電流値を出力し、前記第２の手段においては、まず前記スイッチの開放と前記可変電流源のオンが行われ、前記可変電流源は第２の定電流値を出力し、その一定期間の後、前記可変電流源のオフと前記定電流源のオンが行われることを特徴とするＰＬＬ回路。
【請求項３７】
請求項３６記載のＰＬＬ回路において、前記第１の定電流値と前記定電流の出力電流値は等しく、前記第２の定電流値は前記第１の定電流値と前記定電流の出力電流値の少なくとも２倍以上であることを特徴とするＰＬＬ回路。
【請求項３８】
請求項３４記載のＰＬＬ回路において、前記基準電位は電源電位であり、前記可変電流源は前記電流出力型位相比較器の出力端から電流を吸収し、前記定電流源は前記電流出力型位相比較器の出力端に定電流を出力することを特徴とするＰＬＬ回路。
【請求項３９】
請求項３８記載のＰＬＬ回路において、非動作状態では、前記可変電流源と前記定電流源がオフで前記スイッチは短絡されており、前記非動作状態から動作状態への移行には第１と第２の手段が存在し、前記ＰＬＬ回路の収束周波数が、前記第１のスイッチの短絡時の前記ＶＣＯの出力周波数と設定周波数との間の周波数であるという条件を満たす場合には前記第１の手段が用いられ、前記条件を満たさない場合には前記第２の手段が用いられるＰＬＬ回路であって、前記第１の手段においては、前記スイッチの開放と前記可変電流源のオンが行われ、前記可変電流源は第１の定電流値を出力し、前記第２の手段においては、まず前記スイッチの開放と前記可変電流源のオンが行われ、前記可変電流源は第２の定電流値を出力し、その一定期間の後、前記可変電流源のオフと前記定電流源のオンが行われることを特徴とするＰＬＬ回路。
【請求項４０】
請求項３９記載のＰＬＬ回路において、前記第１の定電流値と前記定電流の出力電流値は等しく、前記第２の定電流値は前記第１の定電流値と前記定電流の出力電流値の少なくとも２倍以上であることを特徴とするＰＬＬ回路。
【請求項４１】
請求項３４記載のＰＬＬ回路において、前記スイッチは前記ＶＣＯの入力電位に依存しない信号によって制御されることを特徴とするＰＬＬ回路。
【請求項４２】
ベースバンド回路と、前記ベースバンド回路から第１のベースバンド信号が入力される変調器と、前記変調器の出力に接続されたＰＬＬ回路と、前記ＰＬＬ回路の出力に接続された電力増幅器と、前記ベースバンド回路に第２のベースバンド信号を出力する受信回路と、アンテナと、前記アンテナと前記受信回路の入力と前記電力増幅器の出力とが接続されるセレクタとを有する無線通信端末機器であって、
前記ベースバンド回路は前記無線通信端末機器の動作の制御信号を出力し、
前記ＰＬＬ回路が、第１の周波数変調された入力信号と第２の入力信号の位相差に比例した信号を出力する電流出力型位相比較器と、前記電流出力型位相比較器の出力端に接続された低域通過フィルタと、前記低域通過フィルタの出力端に接続されたＶＣＯと、前記ＶＣＯの出力端に接続され前記ＶＣＯの出力周波数を周波数変換し前記電流出力型位相比較器の前記第２の入力信号を出力するミキサと、前記電流出力型位相比較器の出力端に接続された第１、第２の定電流源と、前記電流出力型位相比較器と第１の基準電位との間に接続された第１のスイッチと、前記電流出力型位相比較器の出力端と第２の基準電位との間に接続された第２のスイッチとを有し、前記第１、第２の定電流源のオンオフと前記第１と第２のスイッチの短絡、開放を制御するコントローラを有するＰＬＬ回路からなることを特徴とする無線通信端末機器。
【請求項４３】
請求項４２記載の無線通信端末機器において、前記第１のスイッチは、前記ＶＣＯの入力電位に依存しない信号によって制御され、前記第２のスイッチは、前記ＶＣＯの入力電位に依存しない信号によって制御されることを特徴とする無線通信端末機器。